(57)【特許請求の範囲】
【請求項１】
通信装置であって、
音声による報知部と、
アクセス情報を記憶するためのメモリと、
発信元のアクセス情報が前記メモリに登録されているか否かを判断するための判断手段と、
前記発信元のアクセス情報が前記メモリに登録されていない場合に、前記発信元との間の通信の終了の後に前記報知部にて予め登録されているメッセージを出力するよう制御するための報知制御手段とを備え、
前記報知制御手段は、前記発信元のアクセス情報に基づいて、前記発信元との間の通信に基づいて予め登録されている複数のメッセージの中から前記発信元との間の通信の終了の後に前記報知部から出力されるメッセージを選択するための選択手段を含む、通信装置。
【請求項２】
前記予め登録されているメッセージは、前記発信元のアクセス情報の登録を促すメッセージを含む、請求項１に記載の通信装置。
【請求項３】
前記選択手段は、前記発信元との間の通信時間に基づいて前記出力されるメッセージを選択する、請求項１に記載の通信装置。
【請求項４】
前記選択手段は、前記発信元との間の通信に含まれるキーワードに基づいて前記メッセージを選択する、請求項１に記載の通信装置。
【請求項５】
通信装置であって、
音声による報知部と、
アクセス情報を記憶するためのメモリと、
発信元のアクセス情報が前記メモリに登録されているか否かを判断するための判断手段と、
前記発信元のアクセス情報が前記メモリに登録されていない場合に、前記発信元との間の通信の終了の後に前記報知部にて予め登録されているメッセージを出力するよう制御するための報知制御手段とを備え、
前記報知制御手段は、前記発信元のアクセス情報および前記発信元との間の通信に基づいて前記報知部での出力態様を決定するための決定手段を含む、通信装置。
【請求項６】
前記決定手段は、前記発信元との間の通信時間に基づいて前記出力態様を決定する、請求項５に記載の通信装置。
【請求項７】
前記決定手段は、前記発信元との間の通信に含まれるキーワードに基づいて前記出力態様を決定する、請求項５に記載の通信装置。
【請求項８】
前記出力態様は、前記報知部で前記予め登録されているメッセージを出力する音量、出力速度、出力回数、および前記通信の終了の後から前記出力の開始までの期間のうちの少なくとも１つを含む、請求項５から請求項７のいずれかに記載の通信装置。
【請求項９】
通信装置による報知の方法であって、
発信元のアクセス情報が前記通信装置のメモリに登録されているか否かを判断するステップと、
前記発信元のアクセス情報が前記メモリに登録されていない場合に、前記発信元との間の通信の終了の後に予め登録されているメッセージを出力して、前記通信の相手のアクセス情報が前記メモリに登録されていないことを報知するステップとを備え、
報知するステップは、前記発信元のアクセス情報に基づいて、前記発信元との間の通信に基づいて予め登録されている複数のメッセージの中から前記発信元との間の通信の終了の後に、出力されるメッセージを選択するためのステップを含む、報知方法。
【請求項１０】
通信装置による報知の方法であって、
発信元のアクセス情報が前記通信装置のメモリに登録されているか否かを判断するステップと、
前記発信元のアクセス情報が前記メモリに登録されていない場合に、前記発信元との間の通信の終了の後に予め登録されているメッセージを出力して、前記通信の相手のアクセス情報が前記メモリに登録されていないことを報知するステップとを備え、
報知するステップは、前記発信元のアクセス情報および前記発信元との間の通信に基づいてメッセージの出力態様を決定するためのステップを含む、報知方法。
【請求項１１】
通信装置に搭載されたコンピュータに報知処理を実行させるプログラムであって、
前記プログラムは前記コンピュータに、
発信元のアクセス情報が前記通信装置のメモリに登録されているか否かを判断するステップと、
前記発信元のアクセス情報が前記予め登録されているアクセス情報でない場合に、前記発信元との間の通信の終了の後に予め登録されているメッセージを前記通信装置の報知部から出力して、前記通信の相手のアクセス情報が前記メモリに登録されていないことを前記通信装置によって報知させるステップとを実行させ、
報知するステップは、前記発信元のアクセス情報に基づいて、前記発信元との間の通信に基づいて予め登録されている複数のメッセージの中から前記発信元との間の通信の終了の後に前記報知部から出力されるメッセージを選択するためのステップを含む、報知プログラム。
【請求項１２】
通信装置に搭載されたコンピュータに報知処理を実行させるプログラムであって、
前記プログラムは前記コンピュータに、
発信元のアクセス情報が前記通信装置のメモリに登録されているか否かを判断するステップと、
前記発信元のアクセス情報が前記予め登録されているアクセス情報でない場合に、前記発信元との間の通信の終了の後に予め登録されているメッセージを前記通信装置の報知部から出力して、前記通信の相手のアクセス情報が前記メモリに登録されていないことを前記通信装置によって報知させるステップとを実行させ、
報知するステップは、前記発信元のアクセス情報および前記発信元との間の通信に基づいて前記報知部での出力態様を決定するためのステップを含む、報知プログラム。
【発明の詳細な説明】
【技術分野】
【０００１】
この開示は通信装置、報知方法、および報知プログラムに関し、特に、通信相手のアクセス情報を登録する機能を有する通信装置、該通信装置での報知方法、および報知プログラムに関する。
【背景技術】
【０００２】
電話機や、電話機能を搭載したファクシミリ送受信機などの通信装置のユーザは、発信元からの着信を受ける前に、安全な発信元からの発信であるか否かの確認を要望する場合がある。
【０００３】
上記の要望に応える機能の１つとして、発信元をディスプレイなどで報知する機能がある。発信元を報知する機能には、さらに、着信音の鳴動時に、発信元の電話番号が電話帳などのメモリに予め登録されている番号であるか否かや、電話番号を非通知で発信しているか否かなどの安全度合を区別して着信を報知する機能がある。この機能を、以降の説明では「区別報知」機能とも称する。区別報知機能は、たとえば、電話帳などに登録されている電話番号からの着信と、登録されていない番号からの着信と、電話番号が非通知である着信とで、着信音の鳴動中に異なる色のランプを点灯させる。この報知によって、ユーザは、着信の際に発信元の信頼度を確認することができる。
【先行技術文献】
【特許文献】
【０００４】
【特許文献１】特開２００１−３２０４６９号公報
【発明の概要】
【発明が解決しようとする課題】
【０００５】
信頼度が高くない発信元からの着信であっても、ユーザによっては当該発信元との通信を行なう場合もある。しかしながら、上記の報知は着信時に行なわれるものであるため、通信中や通信終了の際には、ユーザーは、当該発信元が信頼度が低かったことを忘れてしまう場合がある。その結果、当該通信が該ユーザにとって適切なものでなかった場合であっても、適切な通信であったと信じてしまうことがある。たとえば、迷惑電話やいわゆる振り込め詐欺などと呼ばれる偽装電話などであった場合、通話中に発信者の話に騙されてしまう場合がある。
【０００６】
そこで、通信終了後に、はたして先ほどの通信相手が安全であったのかどうかを考え直すきっかけがあることが望まれる。
【０００７】
本開示のある局面における目的は、ユーザの、通信による被害を抑えることのできる通信装置を提供することである。また、本開示のある局面における目的は、ユーザの、通信による被害を抑えることのできる通信装置での報知方法を提供することである。また、本開示のある局面における目的は、ユーザの、通信による被害を抑えることのできる通信装置における報知プログラムを提供することである。
【課題を解決するための手段】
【０００８】
ある実施の形態に従うと、通信装置は、音声による報知部と、アクセス情報を記憶するためのメモリと、発信元のアクセス情報がメモリに登録されているか否かを判断するための判断手段と、発信元のアクセス情報がメモリに登録されていない場合に、発信元との間の通信の終了の後に報知部にて予め登録されているメッセージを出力するよう制御するための報知制御手段とを備える。
【０００９】
好ましくは、予め登録されているメッセージは、発信元のアクセス情報の登録を促すメッセージを含む。
【００１０】
好ましくは、報知制御手段は、発信元との間の通信に基づいて予め登録されている複数のメッセージの中から発信元との間の通信の終了の後に報知部から出力されるメッセージを選択するための選択手段を含む。
【００１１】
好ましくは、選択手段は、発信元のアクセス情報に基づいて出力されるメッセージを選択する。
【００１２】
好ましくは、選択手段は、発信元との間の通信時間に基づいて出力されるメッセージを選択する。
【００１３】
好ましくは、選択手段は、発信元との間の通信に含まれるキーワードに基づいてメッセージを選択する。
【００１４】
好ましくは、報知制御手段は、発信元との間の通信に基づいて報知部での出力態様を決定するための決定手段を含む。
【００１５】
好ましくは、決定手段は、発信元のアクセス情報に基づいて出力態様を決定する。
好ましくは、決定手段は、発信元との間の通信時間に基づいて出力態様を決定する。
【００１６】
好ましくは、決定手段は、発信元との間の通信に含まれるキーワードに基づいて出力態様を決定する。
【００１７】
好ましくは、出力態様は、報知部で予め登録されているメッセージを出力する音量、出力速度、出力回数、および通信の終了の後から出力の開始までの期間のうちの少なくとも１つを含む。
【００１８】
他の実施の形態に従うと、報知方法は通信装置による報知の方法である。この方法は、発信元のアクセス情報が通信装置のメモリに登録されているか否かを判断するステップと、発信元のアクセス情報がメモリに登録されていない場合に、発信元との間の通信の終了の後に予め登録されているメッセージを出力して、通信の相手のアクセス情報がメモリに登録されていないことを報知するステップとを備える。
【００１９】
他の実施の形態に従うと、報知プログラムは通信装置に搭載されたコンピュータに報知処理を実行させるプログラムである。このプログラムはコンピュータに、発信元のアクセス情報が通信装置のメモリに登録されているか否かを判断するステップと、発信元のアクセス情報が予め登録されているアクセス情報でない場合に、発信元との間の通信の終了の後に予め登録されているメッセージを通信装置の報知部から出力して、通信の相手のアクセス情報がメモリに登録されていないことを通信装置によって報知させるステップとを実行させる。
【発明の効果】
【００２０】
この開示によると、通信終了後に、はたして先ほどの通信相手が安全であったのかどうかを考え直すきっかけをユーザに与えることができる。その結果、ユーザの、通信による被害を抑えることができる。
【図面の簡単な説明】
【００２１】
【図１】実施の形態にかかる通信装置の一例としての電話機の外観の一例を表わした図である。
【図２】親機および子機の装置構成の一例を示すブロック図である。
【図３】第１の実施の形態にかかる電話機の動作概要を説明するための図である。
【図４】第１の実施の形態にかかる電話機の機能構成の一例を表わしたブロック図である。
【図５】第１の実施の形態にかかる電話機の動作の流れを表わしたフローチャートである。
【発明を実施するための形態】
【００２２】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００２３】
［第１の実施の形態］
＜装置外観＞
図１は、本実施の形態にかかる通信装置の一例としての電話機１の外観の一例を表わした図である。図１を参照して、電話機１は、親機１００と子機２００とを含む。電話機１は、親機１００のみであってもよい。
【００２４】
親機１００は、固定電話回線に接続される。子機２００は親機１００に登録されており、子機２００と親機１００とは無線通信で接続される。子機２００と親機１００との間の無線通信は、たとえば、ＤＥＣＴ（Digital  Enhanced  Cordless  Telecommunications）方式と呼ばれるデジタルコードレス電話規格に従った無線通信や、Ｂｌｕｅｔｏｏｔｈ（登録商標）などの無線通信などが該当する。
【００２５】
図１は、親機１００および子機２００を、それぞれ、ある一面（第１面）から見た概略図である。第１面を正面とする。すなわち、図１は、親機１００および子機２００それぞれを正面から見た図である。
【００２６】
親機１００の正面には、ディスプレイ１３および数字ボタンなどのボタン１６が配置される。また、親機１００の正面は受話器が載置可能に構成されている。受話器にはスピーカ１５Ａおよびマイク１４が、また、親機１００の本体にはスピーカ１５Ｂがそれぞれ配置される。スピーカ１５Ａとスピーカ１５Ｂとを総称してスピーカ１５という。
【００２７】
子機２００の正面には、ディスプレイ２３および数字ボタンなどのボタン２６が配置される。また、子機２００の正面には、スピーカ２５およびマイク２４が配置される。
【００２８】
＜装置構成＞
図２は、親機１００および子機２００の装置構成の一例を示すブロック図である。親機１００の装置構成と子機２００の装置構成とは、概ね、同じである。そこで、図２は、主に親機１００の装置構成を表わし、図２において括弧内に表わされた参照符号が子機２００の装置構成を表わしている。
【００２９】
図２を参照して、親機１００は、装置全体を制御するためのＣＰＵ（Central  Processing  Unit）１０と、ＲＯＭ（Read  Only  Memory）１１と、ＲＡＭ（Random  Access  Memory）１２とを含む。ＲＯＭ１１は、ＣＰＵ１０で実行されるプログラムや電話帳データなどを記憶する。ＲＡＭ１２は、着信履歴などを記憶する。また、ＲＡＭ１２は、ＣＰＵ１０でプログラムを実行する際の作業領域となる。
【００３０】
親機１００は、さらに、ディスプレイ１３、マイク１４、スピーカ１５、ボタン１６、およびＬＥＤ（Light  Emitting  Diode）１７を含む。ＬＥＤ１７は、ＣＰＵ１０によってそれぞれ独立して発光が制御される、少なくとも異なる２色の光源である。ＬＥＤ１７は、一例として、透過性を有するディスプレイ１３および／またはボタン１６の背面に取り付けられ、ＣＰＵ１０による制御に従ってディスプレイ１３および／またはボタン１６の色を変化させる。
【００３１】
また、親機１００は、第１通信部１８と第２通信部１９とを含む。第１通信部１８は、固定電話回線を介した通信を制御する。第２通信部１９は、子機２００との間の無線通信を制御する。
【００３２】
さらに、図２を参照して、子機２００の装置構成の一例を示すブロック図である。図３を参照して、子機２００は、装置全体を制御するためのＣＰＵ２０と、ＣＰＵ２０で実行されるプログラムや電話帳データなどを記憶するためのＲＯＭ２１と、着信履歴などを記憶したりＣＰＵ２０でプログラムを実行する際の作業領域となるＲＡＭ２２とを含む。
【００３３】
子機２００は、さらに、ディスプレイ２３、マイク２４、スピーカ２５、ボタン２６、およびＬＥＤ２７を含む。また、子機２００は、親機１００との間の無線通信を制御するための第２通信部２９を含む。
【００３４】
＜動作概要＞
図３は、第１の実施の形態にかかる電話機１の動作概要を説明するための図である。図３は、電話機１での通話の終了の際の、ディスプレイ１３の表示画面の遷移を表わしている。さらに、図３は、電話機１での通話の終了の際の、スピーカ１５からの音声による報知の例を表わしている。
【００３５】
詳しくは、図３を参照して、電話機１での通話中には、一例として「通話中」とディスプレイ１３に表示される（ステップ＃１）。
【００３６】
通話相手の発信番号が電話帳などのメモリに登録されていない番号であった場合、または、発信番号を通知した着信ではなかった場合（非通知）、当該通話が終了すると、電話機１は、たとえば「怪しい電話に気を付けてください」などの、予め登録された音声メッセージをスピーカ１５から出力する（ステップ＃２）。好ましくは、該メッセージの出力の際に、電話機１はディスプレイ１３に、「声かけ中」などのメッセージ出力中であることを表わした表示を行なう（ステップ＃２’）。
【００３７】
好ましくは、電話機１は、通話相手の発信番号が電話帳などのメモリに登録されていない番号であった場合、スピーカ１５から予め登録された音声メッセージを出力して、当該番号をメモリに登録するためのユーザ操作を促す（ステップ＃３）。好ましくは、該メッセージの出力の際に、電話機１はディスプレイ１３に、メモリに電話番号を登録するための具体的な操作方法を表示する（ステップ＃３’）。
【００３８】
＜機能構成＞
図４は、上記動作を行なうための第１の実施の形態にかかる電話機１の機能構成の一例を表わしたブロック図である。図４の各機能は、電話機１の親機１００のＣＰＵ１０がＲＯＭ１１に記憶されているプログラムをＲＡＭ１２上に読み出して実行することで、主にＣＰＵ１０で実現される。
【００３９】
図４を参照して、電話機１の親機１００のＣＰＵ１０は、発信入力部１０１と、通話を制御するための通話制御部１０３と、判断部１０４と、スピーカ１５からの音声による報知を制御するための報知制御部１０５と、ディスプレイ１３の表示を制御するための表示制御部１０６とを含む。
【００４０】
発信入力部１０１は、固定電話回線を介した他の電話機からの発信の入力を受け付ける。発信入力部１０１は、着信と共に発信元から発信元の番号の入力を受け付けるための番号発信番号入力部１０２を含む。
【００４１】
電話機１の親機１００のＲＯＭ１１には、電話番号記憶部１１１が含まれる。電話番号記憶部１１１は、電話帳や、ボタンに関連付けられた電話番号などを記憶するための記憶領域である。
【００４２】
判断部１０４は、発信元の番号が電話番号記憶部１１１に記憶されている番号であるか否かを判断する。
【００４３】
報知制御部１０５は、判断部１０４において発信元の番号が電話番号記憶部１１１に記憶されている番号でないと判断された場合に、通話の終了後、予め登録されている音声メッセージをスピーカ１５から出力する処理を実行する。
【００４４】
好ましくは、表示制御部１０６は、報知制御部１０５が上記の音声メッセージを出力する際に、ディスプレイ１３に予め規定された画面を表示する。
【００４５】
好ましくは、登録処理部１０７は、判断部１０４において発信元の番号が電話番号記憶部１１１に記憶されている番号でないと判断された場合に、通話の終了後、ユーザ操作に従って当該発信元の番号を電話番号記憶部１１１に記憶する処理を実行する。
【００４６】
＜動作フロー＞
図５は、第１の実施の形態にかかる電話機１の動作の流れを表わしたフローチャートである。図５のフローチャートに表わされた動作は、電話機１のＣＰＵ１０がＲＯＭ１１に記憶されているプログラムをＲＡＭ１２上に読み出して実行し、図４の各機能を発揮することによって実現される。なお、図５のフローチャートに表わされた動作は、電話機１のＣＰＵ１０が当該電話機１に対する着信があり、その着信を受けた通話が終了したことを検知すると開始される。
【００４７】
図５を参照して、電話機１のＣＰＵ１０は、着信と共に得られた発信元の番号がＲＯＭ１１に記憶されていない場合（ステップＳ１０１でＹＥＳ）、通話終了の後に、予め登録されている音声メッセージをスピーカ１５から出力することで、登録されていない番号との通話であったことを音声にて報知する（ステップＳ１０３）。ステップＳ１０３で、好ましくは、ＣＰＵ１０は、上記の報知を行なっている旨をディスプレイ１３にも表示する。
【００４８】
好ましくは、ＣＰＵ１０は、登録されていない番号との通話であった場合に、ユーザ操作に従って当該番号をメモリに登録可能な状態とする。一例として、ＣＰＵ１０は、ディスプレイ１３に登録を促す表示を行なう。
【００４９】
ＣＰＵ１０は、当該番号を登録することを指示するユーザ操作を受け付けると（ステップＳ１０５でＹＥＳ）、該ユーザ操作に従って当該番号を登録する（ステップＳ１０７）。ここでの登録は、たとえば、以降、当該番号からの着信を安全な着信として報知する番号群、当該番号からの着信を危険な着信として報知する番号群、または、当該番号からの着信での通話は行なわない番号群、などのいずれかの番号群に登録することを含む。
【００５０】
ＣＰＵ１０は、上記ステップＳ１０３で開始した音声による報知を終了し、一連の動作を終了する。好ましくは、ＣＰＵ１０は、上記ステップＳ１０３で開始した音声による報知の終了を指示するユーザ操作を受け付けることで（ステップＳ１０９でＹＥＳ）、上記ステップＳ１０３で開始した音声による報知を終了し、一連の動作を終了する。このようにすることで、ユーザによる終了の操作が行なわれるまで音声による報知が継続することになる。そのため、ユーザへの報知の効果を高めることができる。
【００５１】
［第２の実施の形態］
第２の実施の形態では、登録されていない番号との通話の終了時に、予め登録されている複数のメッセージの中から報知されるメッセージが選択される。第２の実施にかかる電話機の構成は第１の実施の形態にかかる電話機１の構成と同様である。そのため、その説明を繰り返さない。
【００５２】
＜機能構成＞
第２の実施の形態にかかる電話機１は、図４に表わされたように、報知制御部１０５が、通信に基づいて、予め登録されている複数のメッセージのうちから報知に用いるメッセージを選択するための選択部１０８を含む。
【００５３】
複数のメッセージは、それぞれ報知する危険度合いが異なる。複数のメッセージとしては、たとえば、「今の電話には注意」「怪しい電話に気を付けてください」「登録のない番号からでした」…などのメッセージ群が挙げられる。
【００５４】
選択部１０８は、一例として、発信元のアクセス情報である、電話番号の少なくとも一部に基づいてメッセージを選択する。選択部１０８は、たとえば、電話番号のうちの市内局番の表わす地域が当該電話機１の設置された地域から遠いほど危険度合いが高いものとして、より危険度合いの高いメッセージを選択する。
【００５５】
また、選択部１０８は、一例として、当該発信元との間の通信時間に基づいてメッセージを選択する。選択部１０８は、たとえば、通信時間が長いほど危険度合いが高いものとして、より危険度合いの高いメッセージを選択する。
【００５６】
また、選択部１０８は、一例として、発信元との間の通信に含まれるキーワードに基づいてメッセージを選択する。選択部１０８は、キーワードとして、たとえば、「現金」「事故」「ＡＴＭ」などのワードを記憶している。選択部１０８は、通話中の音声を文字認識して、上記のキーワードを抽出する。そして、当該キーワードが抽出されると、選択部１０８は、抽出されたキーワードに応じてメッセージを選択する。一例として、選択部１０８は、キーワードの登場回数が多いほど危険度合いが高いものとして、より危険度合いの高いメッセージを選択する。また、他の例として、選択部１０８は、キーワードに予め優先順位を付与しておき、優先順位の高いキーワードが抽出されるほど危険度合いが高いものとして、より危険度合いの高いメッセージを選択する。
【００５７】
＜動作フロー＞
第２の実施の形態にかかる電話機１のＣＰＵ１０は、図４に表わされたように、上記ステップＳ１０３で、通話に基づいてメッセージを選択する処理を実行する（ステップＳ１０３−１）。ＣＰＵ１０は、上記ステップＳ１０３で、選択されたメッセージをスピーカ１５から出力することで、登録されていない番号との通話であったことを音声にて報知する。
【００５８】
［第３の実施の形態］
第３の実施の形態では、登録されていない番号との通話の終了時に、通信に基づいて上記の報知の出力態様が決定される。第３の実施にかかる電話機の構成は第１の実施の形態にかかる電話機１の構成と同様である。そのため、その説明を繰り返さない。
【００５９】
＜機能構成＞
第３の実施の形態にかかる電話機１は、図４に表わされたように、報知制御部１０５が、通信に基づいて上記の報知の出力態様を決定するための決定部１０９を含む。
【００６０】
出力態様としては、スピーカ１５からメッセージを出力する音量、出力速度、出力回数（リピート回数）、および通信の終了の後からメッセージの出力の開始までの経過時間などが挙げられる。または、出力態様はこれらの組み合わせであってもよい。たとえば、出力態様が音量である場合、決定部１０９は、通信の危険度合いが高いほど大きな音量を決定する。たとえば、出力態様が通信の終了の後からメッセージの出力の開始までの経過時間である場合、決定部１０９は、通信の危険度合いが高いほど該経過時間を短く決定する。つまり、この場合、電話機１は、通信が終了したできるだけ直後から上記の報知を行なうことになる。
【００６１】
決定部１０９は、一例として、発信元のアクセス情報である、電話番号の少なくとも一部に基づいて出力態様を決定する。決定部１０９は、たとえば、電話番号のうちの市内局番の表わす地域が当該電話機１の設置された地域から遠いほど危険度合いが高いものとして、より危険度合いの高い出力態様を決定する。
【００６２】
また、決定部１０９は、一例として、当該発信元との間の通信時間に基づいて出力態様を決定する。決定部１０９は、たとえば、通信時間が長いほど危険度合いが高いものとして、より危険度合いの高い出力態様を決定する。
【００６３】
また、決定部１０９は、一例として、発信元との間の通信に含まれるキーワードに基づいて出力態様を決定する。決定部１０９は、複数のキーワードを予め記憶しておき、通話中の音声を文字認識してその中から該キーワードを抽出する。そして、当該キーワードが抽出されると、決定部１０９は、抽出されたキーワードに応じて出力態様を決定する。一例として、決定部１０９は、キーワードの登場回数が多いほど危険度合いが高いものとして、より危険度合いの高い出力態様を決定する。また、他の例として、決定部１０９は、キーワードに予め優先順位を付与しておき、優先順位の高いキーワードが抽出されるほど危険度合いが高いものとして、より危険度合いの高い出力態様を決定する。
【００６４】
＜動作フロー＞
第３の実施の形態にかかる電話機１のＣＰＵ１０は、図４に表わされたように、上記ステップＳ１０３で、通話に基づいて出力態様を決定する処理を実行する（ステップＳ１０３−２）。ＣＰＵ１０は、上記ステップＳ１０３で、予め登録されているメッセージをステップＳ１０３−２で決定された出力態様でスピーカ１５から出力することで、登録されていない番号との通話であったことを音声にて報知する。
【００６５】
［第４の実施の形態］
なお、第３の実施の形態で説明された出力態様の決定は、第１の実施の形態にかかる電話機１、および第２の実施の形態にかかる電話機１でも行なわれてもよい。つまり、第３の実施の形態は、第１の実施の形態や第２の実施の形態に組み合わされてもよい。
【００６６】
［第５の実施の形態］
なお、上記した第１〜第４の実施の形態では、通信装置として電話機１を例示している。しかしながら、本開示にかかる通信装置は電話機に限定されない。本開示にかかる通信装置は、ユーザの操作によって通信の開始されるものであればどのような装置であってもよい。たとえば、通信装置の他の例としてファクシミリ送受信装置や、メール送受信装置が挙げられる。
【００６７】
ここでの通信は、装置間のデータそのものの送受信の期間を指すものではなく、受信側である本開示にかかる通信装置にて、発信元から送信されたデータを出力することを指す。たとえば、通信装置がファクシミリ送受信装置である場合、ファクシミリ送受信装置は、受信したデータを用紙に印刷して出力した後に、上記の音声メッセージを出力する。また、通信装置がメール送受信装置である場合、メール送受信装置は、受信したメールをディスプレイに表示した後に、上記の音声メッセージを出力する。
【００６８】
［第６の実施の形態］
さらに、電話機１で例示された通信装置に搭載されたコンピュータに、上述の電話機１における報知処理を実行させるプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６９】
なお、本開示にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本開示にかかるプログラムに含まれ得る。
【００７０】
また、本開示にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本開示にかかるプログラムに含まれ得る。
【００７１】
提供されるプログラム製品は、ハードディスクなどのプログラム格納部にインストールされて実行される。なお、プログラム製品は、プログラム自体と、プログラムが記録された記録媒体とを含む。
【００７２】
［実施の形態の効果］
電話機などの通信装置の中には、着信時に、当該着信と共に得られたアクセス情報（発信番号など）が当該電話機に登録されているか否かを判断し、その区別を表示するものもある。そのため、通信装置によっては、通信開始の前にユーザが、当該着信がメモリに登録されていない番号からのものか登録されている番号からのものか、つまり、その危険度合いを知ることができる。これによって、ユーザは、危険度合いの高い着信との通信を行なわない、などの対策をとることで、通信に伴う危険を回避することは可能である。
【００７３】
しかしながら、メモリに登録されていない番号であっても必ずしも危険とは限らず、必要な通信である場合もある。そのため、危険度合いが高いと通信開始前に報知されている場合であっても、ユーザは通信を開始する場合もある。
【００７４】
このように通信を開始すると、ユーザは、悪意ある発信者からの通信によって危険にさらされる場合もある。たとえば、通信を利用した詐欺などが考えられる。
【００７５】
そういった場合に、上記電話機１は、通話終了時に、たとえば「怪しい電話に気を付けてください」などのメッセージが出力される。これによって、ユーザは、たとえ通話中に悪意ある発信者との話を信頼していたとしても、ふと我に返り、終了した通話の内容を振り返るきっかけとなる。そして、もしもその内容が金銭を要求するような不適切な内容であった場合に、上記の報知は、その内容が適切でないと判断するきっかけとなり得る。したがって、本開示にかかる通信装置は、ユーザの、通信による被害を抑えることに好適に用いられ得る。
【００７６】
さらに、上記したように、本開示にかかる通信装置は、通信内容に応じたメッセージを出力したり、通信内容に応じた出力態様で出力したりする。これにより、より効果的に、ユーザの、通信による被害を抑えることができる。
【００７７】
［まとめ］
本発明の局面は、次のように表わすことができる。
【００７８】
（１）通信装置（電話機１）であって、音声による報知部（スピーカ１５）と、アクセス情報を記憶するためのメモリ（電話番号記憶部１１１）と、発信元のアクセス情報がメモリに登録されているか否かを判断するための判断手段（判断部１０４）と、発信元のアクセス情報がメモリに登録されていない場合に、発信元との間の通信の終了の後に報知部にて予め登録されているメッセージを出力するよう制御するための報知制御手段（報知制御部１０５）とを備える、通信装置。
【００７９】
（２）予め登録されているメッセージは、発信元のアクセス情報の登録を促すメッセージを含む、（１）に記載の通信装置。
【００８０】
（３）報知制御手段は、発信元との間の通信に基づいて予め登録されている複数のメッセージの中から発信元との間の通信の終了の後に報知部から出力されるメッセージを選択するための選択手段（選択部１０８）を含む、（１）に記載の通信装置。
【００８１】
（４）選択手段は、発信元のアクセス情報（電話番号）に基づいて出力されるメッセージを選択する、（３）に記載の通信装置。
【００８２】
（５）選択手段は、発信元との間の通信時間に基づいて出力されるメッセージを選択する、（３）に記載の通信装置。
【００８３】
（６）選択手段は、発信元との間の通信に含まれるキーワードに基づいてメッセージを選択する、（３）に記載の通信装置。
【００８４】
（７）報知制御手段は、発信元との間の通信に基づいて報知部での出力態様を決定するための決定手段（決定部１０９）を含む、（１）〜（６）のいずれかに記載の通信装置。
【００８５】
（８）決定手段は、発信元のアクセス情報（電話番号）に基づいて出力態様を決定する、（７）に記載の通信装置。
【００８６】
（９）決定手段は、発信元との間の通信時間に基づいて出力態様を決定する、（７）に記載の通信装置。
【００８７】
（１０）決定手段は、発信元との間の通信に含まれるキーワードに基づいて出力態様を決定する、（７）に記載の通信装置。
【００８８】
（１１）出力態様は、報知部で予め登録されているメッセージを出力する音量、出力速度、出力回数、および通信の終了の後から出力の開始までの期間のうちの少なくとも１つを含む、（７）〜（１０）のいずれかに記載の通信装置。
【００８９】
（１２）通信装置による報知の方法であって、発信元のアクセス情報が通信装置のメモリに登録されているか否かを判断するステップ（Ｓ１０１）と、発信元のアクセス情報がメモリに登録されていない場合に、発信元との間の通信の終了の後に予め登録されているメッセージを出力して、通信の相手のアクセス情報がメモリに登録されていないことを報知するステップ（Ｓ１０３）とを備える、報知方法。
【００９０】
（１３）通信装置に搭載されたコンピュータに報知処理を実行させるプログラムであって、プログラムはコンピュータに、発信元のアクセス情報が通信装置のメモリに登録されているか否かを判断するステップ（Ｓ１０１）と、発信元のアクセス情報が予め登録されているアクセス情報でない場合に、発信元との間の通信の終了の後に予め登録されているメッセージを通信装置の報知部から出力して、通信の相手のアクセス情報がメモリに登録されていないことを通信装置によって報知させるステップ（Ｓ１０３）とを実行させる、報知プログラム。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９２】
１  電話機、１０，２０  ＣＰＵ、１１，２１  ＲＯＭ、１２，２２  ＲＡＭ、１３，２３  ディスプレイ、１４，２４  マイク、１５，１５Ａ，１５Ｂ，２５  スピーカ、１６，２６  ボタン、１８  第１通信部、１９，２９  第２通信部、１００  親機、１０１  発信入力部、１０２  番号発信番号入力部、１０３  通話制御部、１０４  判断部、１０５  報知制御部、１０６  表示制御部、１０７  登録処理部、１０８  選択部、１０９  決定部、１１１  電話番号記憶部、２００  子機。
【図１】
0006456157.tif 000002
【図２】
0006456157.tif 000003
【図３】
0006456157.tif 000004
【図４】
0006456157.tif 000005
【図５】
0006456157.tif 000006